(57)【要約】【課題】市場に設置される自動販売機のプログラムの格納あるいは書き換え方式を変更することにより、コストダウンと小型化が可能な自動販売機の構成部品を提供することを目的とする。【解決手段】自動販売機の構成部品である投入金額表示装置１５は、自動販売機の制御プログラムを記憶する記憶部２６および記憶部２６に格納される制御プログラムを送受信する送受信部２７，２８を有し、自動販売機の動作を制御する制御装置２５と、制御装置２５の送受信部２７，２８に接続された通信コネクタ２３を備え、投入金額表示装置１５同士を通信ケーブル３１により通信コネクタ２３を介して接続可能に構成し、制御装置２５を、送受信部２７，２８により、一方の投入金額表示装置１５から他方の投入金額表示装置１５に対して制御プログラムの転送を実行可能な構成とする。【選択図】図４
2007249311.tif 000002
【特許請求の範囲】
【請求項１】
自動販売機の一部を構成する構成部品であって、
自動販売機の制御プログラムを記憶する記憶部および前記記憶部に格納される制御プログラムを送受信する送受信部を有し、前記記憶部に記憶された制御プログラムにより前記自動販売機の動作を制御する制御装置と、
前記制御装置の送受信部に接続されたコネクタ
を備え、
構成部品同士を、前記コネクタを介して接続可能に構成し、
前記制御装置は、前記構成部品同士の接続により、前記送受信部および前記コネクタを介して、一方の構成部品から他方の構成部品に対して前記制御プログラムの転送が可能であること
を特徴とする自動販売機の構成部品。
【請求項２】
前記制御装置は、前記コネクタの接続により前記制御プログラムの送信側か受信側かを判定する接続判定部を有すること
を特徴とする請求項１に記載の自動販売機の構成部品。
【請求項３】
前記構成部品同士の接続により、自動的に前記制御プログラムが転送されること
を特徴とする請求項１または請求項２に記載の自動販売機の構成部品。
【請求項４】
自動販売機本体からの電源の供給、または前記自動販売機本体に設置されたスイッチの操作、または各種設定用のリモートコントローラ装置の操作により、前記制御装置は、前記プログラムの転送を実行すること
を特徴とする請求項１または請求項２に記載の自動販売機の構成部品。
【請求項５】
表示部を備え、
前記制御装置は、前記表示部に、前記記憶部に格納されている制御プログラムのバージョン・ナンバーを表示すること
を特徴とする請求項１〜請求項４のいずれか１項に記載の自動販売機の構成部品。
【請求項６】
前記構成部品は、自動販売機へ投入した金額を表示する投入金額表示装置であること
を特徴とする請求項１〜請求項５のいずれか１項に記載の自動販売機の構成部品。
【請求項７】
前記構成部品は、各種設定用のリモートコントローラ装置であること
を特徴とする請求項１〜請求項５のいずれか１項に記載の自動販売機の構成部品。
【発明の詳細な説明】
【技術分野】
【０００１】
本発明は、自動販売機の一部を構成する構成部品、特にこの構成部品による自動販売機の制御プログラムの転送あるいは書き換えに関するものである。
【背景技術】
【０００２】
従来より、上記自動販売機の制御装置にはコンピュータ（メインコントローラ）が使用されており、この制御装置へ格納される自動販売機の制御プログラムは、プログラム開発機のコンピュータで作成されている。そして、制御装置への制御プログラムの転送あるいは書き換えに際して、制御プログラムはコンピュータよりＰＣカードへコピーされ（ダウンロードされ）、このＰＣカードを介して制御装置へ制御プログラムの転送あるいは書き換えが実行される。
【０００３】
例えば、特許文献１や特許文献２に記載されているように、制御装置に接続されたカードリーダライタにＰＣカードを挿入し、所定の操作を係員が行って制御プログラムの格納あるいは書き換えを指示することにより、自動販売機の制御プログラムを、ＰＣカードより制御装置へ格納、あるいは書き換えを行っている。
【特許文献１】特開２００１−１８４５４７号公報
【特許文献２】特開２００１−２９７３５８号公報
【発明の開示】
【発明が解決しようとする課題】
【０００４】
しかしながら、従来の制御装置の制御プログラムの格納あるいは書き換え方式では、自動販売機の構成部品ではない、特異なもの（書き換え用市販部品であるＰＣカード）を使用しており、別途、サービスパーツとして費用が発生し、またＰＣカードは入手性が悪いうえに価格が高いという問題があった。
【０００５】
また最近、ＰＣカードからの制御プログラムの読み取りに、カードリーダライタに代えて、制御装置にＰＣカード用専用ＩＣを実装し、制御装置にＰＣカードを接続するコネクタを設けたものが使用されている。このとき、制御装置にＰＣカードを接続する大きなコネクタが必要となり、制御装置が大きくなり、自動販売機への実装性が悪いという問題があった。
【０００６】
そこで、本発明は、市場に設置される自動販売機の制御プログラムの転送あるいは書き換え方式を変更することにより、コストダウンと小型化が可能な自動販売機の構成部品を提供することを目的としたものである。
【課題を解決するための手段】
【０００７】
前述した目的を達成するために、本発明のうち請求項１に記載の発明は、自動販売機の一部を構成する構成部品であって、自動販売機の制御プログラムを記憶する記憶部および前記記憶部に格納される制御プログラムを送受信する送受信部を有し、前記記憶部に記憶された制御プログラムにより前記自動販売機の動作を制御する制御装置と、前記制御装置の送受信部に接続されたコネクタを備え、構成部品同士を、前記コネクタを介して接続可能に構成し、前記制御装置は、前記構成部品同士の接続により、前記送受信部および前記コネクタを介して、一方の構成部品から他方の構成部品に対して前記制御プログラムの転送が可能であることを特徴とするものである。
【０００８】
上記構成によれば、構成部品同士をコネクタを介して接続すると、制御プログラムの転送が実行される。したがって、書き換え用市販部品であるＰＣカードが不要となり、その結果、ＰＣカードを接続する大きなコネクタが不要となり、制御装置よりＰＣカード用専用ＩＣが不要となる。
【０００９】
また請求項２に記載の発明は、請求項１に記載の発明であって、前記制御装置は、前記コネクタの接続により前記制御プログラムの送信側か受信側かを判定する接続判定部を有することを特徴とするものである。
【００１０】
上記構成によれば、構成部品同士で制御プログラムを転送するとき、コネクタの接続により、制御プログラムの受信側か送信側かを判定し、一方の構成部品からは制御プログラムを送信し、他方の構成部品では、制御プログラムを受信して格納あるいは書き換えを行う。
【００１１】
また請求項３に記載の発明は、請求項１または請求項２に記載の発明であって、前記構成部品同士の接続により、自動的に前記制御プログラムが転送されることを特徴とするものである。
【００１２】
上記構成によれば、構成部品同士を接続すると、自動的に制御プログラムが転送され、何ら操作をする必要がなく、初心者でも、構成部品同士の制御プログラムの転送作業を行うことができる。
【００１３】
また請求項４に記載の発明は、請求項１または請求項２に記載の発明であって、自動販売機本体からの電源の供給、または前記自動販売機本体に設置されたスイッチの操作、または各種設定用のリモートコントローラ装置の操作により、前記制御装置は、前記プログラムの転送を実行することを特徴とするものである。
【００１４】
上記構成によれば、構成部品同士を接続し、さらに１つの動作（自動販売機本体からの電源の供給、または自動販売機本体に設置されたスイッチの操作、または各種設定用のリモートコントローラ装置の操作）が実行されることにより、プログラムは転送される。単に、構成部品同士を接続するだけで、制御プログラムが転送されることが防止される。
【００１５】
また請求項５に記載の発明は、請求項１〜請求項４のいずれか１項に記載の発明であって、表示部を備え、前記制御装置は、前記表示部に、前記記憶部に格納されている制御プログラムのバージョン・ナンバーを表示することを特徴とするものである。
【００１６】
上記構成によれば、構成部品に備えられた表示部に、記憶部に格納されている制御プログラムのバージョン・ナンバーが表示され、実際に構成部品間で制御プログラムの転送を開始するとき、新しいバージョンの制御プログラムであるかどうかを確認できる。
【００１７】
また請求項６に記載の発明は、請求項１〜請求項５のいずれか１項に記載の発明であって、前記構成部品は、自動販売機へ投入した金額を表示する投入金額表示装置であることを特徴とするものである。
【００１８】
上記構成によれば、投入金額表示装置に内蔵された制御装置により自動販売機の動作を制御する構成とされており、この制御装置の制御プログラムが、投入金額表示装置同士を接続することにより転送され、投入金額の表示部に、制御プログラムのバージョンを表示することが可能となる。このように投入金額表示装置を、サービスパーツとして使用できる。また投入金額表示装置は、自動販売機の構成部品であるので、サービスマン等の関係者は、入手しやすい。
【００１９】
また請求項７に記載の発明は、請求項１〜請求項５のいずれか１項に記載の発明であって、前記構成部品は、各種設定用のリモートコントローラ装置であることを特徴とするものである。
【００２０】
上記構成によれば、リモートコントローラ装置に内蔵された制御装置により自動販売機の動作を制御する構成とされており、この制御装置の制御プログラムが、リモートコントローラ装置同士を接続することにより転送され、リモートコントローラ装置の表示部に、制御プログラムのバージョンを表示することが可能となる。
【発明の効果】
【００２１】
本発明の自動販売機の構成部品は、構成部品同士が接続されると、制御プログラムの転送が実行されることにより、書き換え用市販部品であるＰＣカードを不要にでき、よってＰＣカードを接続する大きなコネクタを不要とでき、制御装置よりＰＣカード用専用ＩＣを不要とでき、制御装置をコンパクト化することができ、自動販売機への実装が容易となる、という効果を有している。
【発明を実施するための最良の形態】
【００２２】
以下、本発明の実施の形態を、図面を参照しながら説明する。
図１は本発明の実施の形態における構成部品を備えた自動販売機の外形図であり、図２は同自動販売機の、外扉を開けた状態の斜視図である。
【００２３】
本発明の構成部品を備えた自動販売機は、商品を冷却したり加温したりして販売可能な自動販売機であり、自動販売機本体１に開閉自在に外扉２が取り付けられ、自動販売機本体１内に、断熱性を有する内扉３にてその前面開口部を開閉可能な断熱構造の庫内空間（内箱）４が設けられており、庫内空間４に設けられた複数列（図では４列）の商品収納部５に缶などの商品（図示せず）が多数収納されている。内扉３は、庫内空間４の前面開口部を閉塞している。また商品収納部５の下端部には、収納した商品を順次払い出す払出装置（図示せず）が配設され、この払出装置にて払い出された商品は、内扉３の下部に開口された商品排出口７に設けられた排出口扉８を通して、外扉２の下部の商品取出口９に払い出される。前記排出口扉８は、通常は商品排出口７を閉塞しており、商品収納部５から商品が払い出されることにより商品排出口７を開口する。
【００２４】
また図１に示すように、自動販売機本体１に開閉自在に取り付けられた外扉２には、前面に、販売する複数の商品サンプル１１、各商品サンプル１１に対応して配置された商品選択ボタン１２、商品を購入するときに硬貨を投入する硬貨投入口１３、同じく紙幣を投入する紙幣投入口１４、利用者が投入したコインなどの金額を表示する投入金額表示装置１５、釣銭や投入金を返却させるための返却レバー１６、およびコイン返却口１７が設けられている。
【００２５】
また図２に示すように、外扉２の裏面に、自動販売機の各種の設定を行うリモコン形状の設定入力装置（リモートコントロール装置）１９が設けられている。
本発明の自動販売機の一部を構成する構成部品は、上記投入金額表示装置１５により構成されている。
【００２６】
投入金額表示装置１５には、図３（ａ）に示すように、その表面に、投入金額の表示、お札の取扱いを中止していることを示す表示、お釣の１００円硬貨がきれている表示、およびお釣の１０円硬貨がきれている表示を行う表示部２１が設けられ、図３（ｂ）に示すように、その裏面に、自動販売機の各機器やセンサと接続される、メインコネクタ２２と、投入金額表示装置１５同士を接続する際に使用される、通信コネクタ２３と、電源供給用に使用される、電源コネクタ２４が設けられ、また両側部にそれぞれ外扉２に取り付けるための取付部材１５ａが設けられている。また投入金額表示装置１５には、内部に、基板構成のコンピュータからなる制御装置２５が収納されている。
【００２７】
この制御装置２５は、図４に示すように、自動販売機の制御プログラムが格納される記憶部２６と、通信コネクタ２３に接続され記憶部２６に格納される制御プログラム等を送信する送信部２７と、通信コネクタ２３に接続され記憶部２６に格納される制御プログラム等を受信する受信部２８と、通信コネクタ２３に接続され、この通信コネクタ２３に、投入金額表示装置１５同士を接続する通信ケーブル３１が接続され前記制御プログラムを送信する送信側であるか、または制御プログラムを受信する受信側であるかを判定する接続判定部２９と、自動販売機の各機器およびセンサに接続され記憶部２６に格納されている制御プログラムに基づいて自動販売機の動作を制御するとともに、記憶部２６に記憶されている制御プログラムのバージョン・ナンバーを表示部２１へ表示させ、制御プログラムの格納・転送（詳細は後述する）を実行する制御部３０から構成されている。
【００２８】
前記通信ケーブル３１の両端には、通信コネクタ２３に接続される、コネクタ３２が設けられており、図５に示すように、一方のコネクタ３２には、制御プログラムの送信側であることを規定するショートピン３３が取り付けられている。
【００２９】
このショートピン３３は、通信コネクタ２３に通信ケーブル３１が接続されたとき、制御装置２５の一入力をロー（Ｌｏｗ）とする機能を有しており、接続判定部２９は、この一入力の電圧レベルを監視し、ロー（Ｌｏｗ）レベルであることにより、通信コネクタ２３に通信ケーブル３１が接続され制御プログラムの送信側であることを判定し、ハイ（Ｈｉｇｈ）レベルであることにより、制御プログラムの受信側であることを判定している。
【００３０】
また通信ケーブル３１の信号ラインにより、送信側より受信側へ、データを送信してもよいのかを尋ねる送信要求信号と制御プログラムが送られ、受信側より送信側へ、データを送信してもよいことを返答する送信可信号とデータ受信が正常に終了したことを返答する正常終了信号とデータ受信に異常が発生したことを返答する異常終了信号が送られる。また通信ケーブル３１の電源ラインにより電源が供給される。
【００３１】
上記制御部３０による、制御プログラムの格納・転送の動作を、図６のフローチャートを参照しながら説明する。
「制御プログラムの転送」（制御部３０が制御プログラムの送信側の投入金額表示装置１５の場合）
送信側の投入金額表示装置１５の通信コネクタ２３に通信ケーブル３１が接続されると、前記制御装置２５の一入力の電圧レベルがローレベルとなるので、前記投入金額表示装置１５の接続判定部２９は、この電圧レベルの変化により通信コネクタ２３に通信ケーブル３１が接続され制御プログラムの送信側であることを認識する。制御部３０は、接続判定部２９において、このように認識されると（ステップ−１）、記憶部２６に格納している制御プログラムが正常かどうかを確認し（ステップ−２）、正常であれば、制御プログラムのバージョン・ナンバーを表示部２１に表示し（ステップ−３）、送信部２７より、通信ケーブル３１により接続された受信側の投入金額表示装置１５へ上記送信要求信号を送信する（ステップ−４）。そして、受信部２８より、受信側の投入金額表示装置１５から上記送信可信号を受信したことが確認されると（ステップ−５）、表示部２１に「Ｌｏａｄ」を表示し（ステップ−６）、記憶部２６に記憶されている制御プログラムを受信側の投入金額表示装置１５へダウンロード（送信）する（ステップ−７）。そして、受信部２８より、受信側の投入金額表示装置１５から上記正常終了信号を受信したことが確認され、ダウンロードが正常に終了すると（ステップ−８）、「Ｇｏｏｄ」を表示し（ステップ−９）、終了する。
【００３２】
なお、上記ステップ−２において、格納している制御プログラムが異常のとき、表示部２１に「Ｐ−Ｅｒｒ」を表示して（ステップ−10）、終了し、また上記ステップ−８において、ダウンロードに異常が発生すると、受信部２８より受信側の投入金額表示装置１５から上記異常終了信号を受信したことが確認され、表示部２１に「Ｌ−Ｅｒｒ」を表示して（ステップ−11）、終了する。
「制御プログラムの格納」（制御部３０が制御プログラムの受信側の投入金額表示装置１５の場合）
受信部２８により、送信側の投入金額表示装置１５から上記送信要求信号を受信したことが確認されると（ステップ−１）、送信部２７より、送信側の投入金額表示装置１５へ上記送信可信号を送信する（ステップ−２）。そして、受信部２８より、送信側の投入金額表示装置１５より制御プログラムを受信すると（ステップ−３）、制御プログラムが正常に受信されたかどうかを確認し（ステップ−４）、正常に終了すると、送信部２７より送信側の投入金額表示装置１５へ正常終了信号を送信し（ステップ−５）、記憶部２６へ、受信した制御プログラムを格納（書き換え）して（ステップ−６）、終了する。またステップ−４において、正常に受信されていないとき、送信部２７より送信側の投入金額表示装置１５へ異常終了信号を送信して（ステップ−７）、終了する。
【００３３】
以上のステップにより、記憶部２６に格納されている制御プログラムの転送、および記憶部２６への制御プログラムの格納が実行される。
上記構成による制御プログラムの格納動作を説明する。
【００３４】
まず、図７に示すマスタユニットを形成する動作（転送元となる投入金額表示装置１５に制御プログラムを格納する動作）を説明する。
係員は、プログラム開発機であるコンピュータ（パソコン）４１により自動販売機の制御プログラムを作成する。そして、係員は、コンピュータ４１を停止した状態として、コンピュータ４１とマスタユニットとなる投入金額表示装置１５を、通信ケーブル３１により接続する。このとき、通信コネクタ２３には、受信側のコネクタ３２を接続する。そして、係員がコンピュータ４１を起動すると、投入金額表示装置１５には通信ケーブル３１の電源ラインを介してコンピュータ４１より電源が供給される。
【００３５】
そして、係員が、コンピュータ４１のキーボードにより所定の操作を行って制御プログラムの格納を指示することにより、自動販売機の制御プログラムは、コンピュータ４１より投入金額表示装置１５の制御装置２５へ格納される。このとき、コンピュータ４１の表示画面には、制御プログラムがダウンロード中てあることを示す表示、例えば「Ｌｏａｄ」が表示され、制御装置２５は、上記「制御プログラムの格納」のステップを実行する。すなわち、制御装置２５は、コンピュータ４１より送信要求信号を受信すると、送信可信号をコンピュータ４１へ送信し、コンピュータ４１より制御プログラムを受信すると（コンピュータ４１より制御プログラムがダウンロードされると）、正常に受信したかどうかを確認し、正常に終了したことを確認すると正常終了信号をコンピュータ４１へ出力し、記憶部２６へこの制御プログラムを格納する。また受信が異常のとき異常終了信号をコンピュータ４１へ出力して終了する。
【００３６】
コンピュータ４１の表示画面には、ダウンロードが正常に終了すると、例えば「Ｇｏｏｄ」が表示され、ダウンロードに異常が発生すると、例えば「Ｌ−Ｅｒｒ」が表示される。
【００３７】
そして、係員は、コンピュータ４１を停止させて、通信ケーブル３１を取り外す。
このように、マスタユニットとなる投入金額表示装置１５が形成される。
続いて制御プログラムが格納された投入金額表示装置１５（マスタユニット）から同一の投入金額表示装置１５（スレーブユニット）に対して制御プログラムの格納する動作を説明する。スレーブの投入金額表示装置１５は、自動販売機本体１に設置されている既設の投入金額表示装置１５とする。
【００３８】
まず係員は、自動販売機の電源（ブレーカ；図示せず）をオフ（ＯＦＦ）する。
次に係員は、自動販売機の外扉２を開けて、裏面よりスレーブの投入金額表示装置１５を、マスタの投入金額表示装置１５に、通信ケーブル３１により接続する。このとき、マスタ側の通信コネクタ２３に、送信側のコネクタ３２を接続し、スレーブ側の通信コネクタ２３に、受信側のコネクタ３２を接続する。
【００３９】
そして、係員は、既設の自動販売機の電源（ブレーカ）をオン（ＯＮ）する。すると、スレーブの投入金額表示装置１５および通信ケーブル３１の電源ラインを介してマスタの投入金額表示装置１５へ電源が供給され、マスタの投入金額表示装置１５の制御装置２５は、動作を開始し、上記「制御プログラムの転送」のステップを実行し、スレーブの投入金額表示装置１５は、上記「制御プログラムの格納」のステップを実行する。このとき、マスタの投入金額表示装置１５の表示部２１に、制御プログラムのバージョン・ナンバーが表示され、続いて「Ｌｏａｄ」が表示され、マスタの投入金額表示装置１５よりスレーブの投入金額表示装置１５対して制御プログラムが転送される。
【００４０】
ダウンロードが正常に終了すると、マスタの投入金額表示装置１５の表示部２１に、「Ｇｏｏｄ」が表示される。
なお、マスタの投入金額表示装置１５に格納している制御プログラムが異常のとき、表示部２１に「Ｐ−Ｅｒｒ」が表示され、ダウンロードは実行されず、またダウンロードが異常のとき、表示部２１に「Ｌ−Ｅｒｒ」が表示される。
【００４１】
そして、係員は、自動販売機の電源（ブレーカ）をオフ（ＯＦＦ）し、通信ケーブル３１を取り外す。そして、係員が再び自動販売機の電源（ブレーカ）をオン（ＯＮ）すると、スレーブの投入金額表示装置１５は書き換えられた制御プログラムにより自動販売機の各機器の制御を実行する。
【００４２】
このように、投入金額表示装置１５同士を接続して制御プログラムの転送が実行される。よって、図７に示すように、このスレーブの投入金額表示装置１５を次にマスタとして、他の自動販売機の投入金額表示装置１５に制御プログラムを転送することができる。
【００４３】
以上のように、本実施の形態によれば、自動販売機の構成部品である投入金額表示装置１５同士を通信ケーブル３１により通信コネクタ２３を介して接続すると、制御プログラムの転送が実行され、スレーブの投入金額表示装置１５の制御プログラムを書き換えることができ、よって、書き換え用市販部品であるＰＣカードが不要となり、その結果、ＰＣカードを接続する大きなコネクタが不要となり、制御装置２５よりＰＣカード用専用ＩＣが不要となり、制御装置２５のメイン基板のサイズを縮小でき、投入金額表示装置１５をコンパクト化できる。
【００４４】
また本実施の形態によれば、投入金額表示装置１５同士で制御プログラムを転送するとき、通信ケーブル３１のコネクタ３２の接続により、制御プログラムの受信側か送信側かを判定でき、間違えることなく、一方（マスタ）の投入金額表示装置１５から制御プログラムを送信し、他方（スレーブ）の投入金額表示装置１５では、制御プログラムを受信して書き換えを行うことができる。
【００４５】
また本実施の形態によれば、投入金額表示装置１５同士を接続すると、自動販売機の電源を投入するだけで、自動的に制御プログラムが転送され、制御プログラムの転送のための操作を何らする必要がなく、初心者でも、投入金額表示装置１５同士の制御プログラムの転送作業を行うことができる。
【００４６】
また本実施の形態によれば、投入金額表示装置１５に備えられた表示部２１に、記憶部２６に格納されている制御プログラムのバージョン・ナンバーが表示され、実際に投入金額表示装置１５間で制御プログラムの転送を開始するとき、投入金額表示装置１５のバージョンを確認し、新しいバージョンの制御プログラムを転送しているかどうかを確認することができる。
【００４７】
また本実施の形態によれば、投入金額表示装置１５に内蔵された制御装置２５により自動販売機の動作を制御する構成とされており、この制御装置の制御プログラムが、投入金額表示装置１５同士を接続することにより転送されることにより、投入金額表示装置１５を、サービスパーツとして使用できる。
【００４８】
なお、本実施の形態では、本発明の構成部品を、投入金額表示装置１５で構成しているが、各種設定用の設定入力装置（リモートコントローラ装置）１９により構成することも可能である。このとき、設定入力装置１９に内蔵された制御装置により自動販売機の動作を制御する構成とされ、この制御装置の制御プログラムが、設定入力装置１９同士を接続することにより転送され、設定入力装置１９の表示部に、制御プログラムのバージョン・ナンバー等が表示される。また投入金額表示装置１５に代えてリレーボックスで構成することも可能である。
【００４９】
また本実施の形態では、電源の供給（電源のブレーカをオン）により自動的に制御プログラムのダウンロードを開始しているが、自動販売機本体１に設置されたスイッチ（例えば、商品選択ボタン１２）の操作、または設定入力装置（リモートコントローラ装置）１９のキー操作で自動的に制御プログラムのダウンロードを開始するようにしてもよい。
【００５０】
また本実施の形態では、通信ケーブル３１を自動販売機とは別途に用意しているが、通信ケーブル３１を投入金額表示装置１５の通信コネクタ２３に接続した状態で、外扉２の内側に予め収納しておくこともできる。このとき、自動販売機に設置されている投入金額表示装置１５の通信コネクタ２３に、通信ケーブル３１の受信側コネクタ３２を接続しておくと、他方の通信ケーブル３１の送信側コネクタ３２に、書き換える制御プログラムが格納された投入金額表示装置１５を接続し、簡単な自動販売機の電源（ブレーカ）のオン・オフ操作を行うだけで、自動販売機に設置されている投入金額表示装置１５の制御プログラムを書き換えることできる。
【００５１】
また本実施の形態では、制御プログラムの転送を、通信ケーブル３１を使用した有線通信で行っているが、これに代えて、光通信または無線通信により行うようにしてもよく、同様の効果が得られる。このとき、光ケーブルの接続、無線通信用の機器（アンテナ等）の接続により、制御プログラムの転送が行われる。
【図面の簡単な説明】
【００５２】
【図１】本発明の実施の形態における自動販売機の構成部品が組み付けられた自動販売機の全体斜視図である。
【図２】同自動販売機の、外扉を開けた状態の斜視図である。
【図３】同自動販売機の投入金額表示装置の図であり、（ａ）は正面図、（ｂ）は側面図、（ｃ）は背面図である。
【図４】同自動販売機の投入金額表示装置の構成図である。
【図５】同自動販売機の投入金額表示装置同士を接続する通信ケーブルの説明図である。
【図６】同自動販売機の投入金額表示装置の制御部の動作を説明するフローチャートである。
【図７】同自動販売機の投入金額表示装置による制御プログラムの転送の説明図である。
【符号の説明】
【００５３】
１    自動販売機本体
２    外扉
１５  投入金額表示装置
１９  設定入力装置
２１  表示部
２２  メインコネクタ
２３  通信コネクタ
２４  電源コネクタ
２５  制御装置
２６  記憶部
２７  送信部
２８  受信部
２９  接続判定部
３０  制御部
３１  通信ケーブル
３２  コネクタ
３３  ショートピン
４１  コンピュータ
【図１】
2007249311.tif 000003
【図２】
2007249311.tif 000004
【図３】
2007249311.tif 000005
【図４】
2007249311.tif 000006
【図５】
2007249311.tif 000007
【図６】
2007249311.tif 000008
【図７】
2007249311.tif 000009